(57)【要約】【課題】ネットワーク上の目的のサイトへ確実に情報を送信できる情報通信装置とそのプログラムを提供する。【解決手段】キー入力部１０２から入力した情報を通信部１０１から送信する前に、この入力情報の送信を許可するか否かがアクセスリスト１０７の登録内容に基づいて判定される。この入力情報がアクセスリスト１０７に含まれる情報と一致し、かつ、アクセスリスト１０７においてこの入力情報と一致した情報に関連付けられているＵＲＬアドレスが入力情報の送信先のアドレスと異なる場合、表示部１０５に警告画面が表示される。【選択図】図１
2007094878.tif 000002
【特許請求の範囲】
【請求項１】
ネットワークを介して情報を送受信する通信手段と、
前記ネットワーク上のアドレスと、当該アドレスに宛てて送信される情報とが関連付けられたリストを記憶する記憶手段と、
前記通信手段から送信する情報を入力可能な入力手段と、
前記通信手段からの情報送信に関する警告を発する警告手段と、
前記入力手段から入力した情報を前記通信手段から送信する前に、当該入力情報が前記リストに含まれる情報と一致し、かつ、前記リストにおいて当該一致した情報に関連付けられたアドレスが当該入力情報の送信先のアドレスと異なるか判定し、当該判定結果に応じて前記警告手段から警告を発する制御手段と
を具備する情報通信装置。
【請求項２】
前記制御手段は、前記入力手段からの入力情報が前記リストに含まれる情報と一致し、かつ、前記リストにおいて当該一致した情報に関連付けられたアドレスが当該入力情報の送信先のアドレスと異なる場合、以後の当該送信先アドレスへの情報送信を禁止する
ことを特徴する請求項１に記載の情報通信装置。
【請求項３】
前記制御手段は、前記警告手段から警告を発した場合、前記入力手段から入力される指示に応じて、前記通信手段からの情報送信を禁止または許可する
ことを特徴とする請求項１に記載の情報通信装置。
【請求項４】
前記制御手段は、前記入力手段からの入力情報が前記リストに含まれる情報と一致し、かつ、前記リストにおいて当該一致した情報に関連付けられたアドレスが当該入力情報の送信先のアドレスと異なる場合、当該２つのアドレスの相違点を前記警告手段において表示する
ことを特徴とする請求項１乃至３の何れか一に記載の情報通信装置。
【請求項５】
前記制御手段は、前記入力手段から入力した情報が前記リストに含まれる情報と一致しない場合、当該入力情報とその送信先のアドレスを前記リストに登録する
ことを特徴とする請求項１乃至４の何れか一に記載の情報通信装置。
【請求項６】
前記制御手段は、前記入力手段に入力された情報が所定の機密情報であるかを判定し、当該入力情報が所定の機密情報である場合、前記リストにおいて送信先のアドレスと一致するアドレスに関連付けられた情報が、当該入力情報と一致するかを判定し、当該判定において不一致と判定した回数が所定数に達した場合には、当該通信相手への情報の送信を禁止する
ことを特徴とする請求項５に記載の情報通信装置。
【請求項７】
ネットワークを介して情報を送受信する通信手段と、前記通信手段から送信する情報を入力可能な入力手段と、記憶手段とを具備した情報通信装置において実行されるプログラムであって、
前記ネットワーク上のアドレスと、当該アドレスに宛てて送信される情報とが関連付けられたリストを前記記憶手段に格納する第１の手順と、
前記入力手段から入力した情報を前記通信手段から送信する前に、当該入力情報が前記リストに含まれる情報と一致し、かつ、前記リストにおいて当該一致した情報に関連付けられたアドレスが当該入力情報の送信先のアドレスと異なるか判定する第２の手順と、
前記第２の手順の判定結果に応じて、前記情報通信装置に設けられた警告手段から警告を発する第３の手順とを有するプログラム。
【発明の詳細な説明】
【技術分野】
【０００１】
本発明は、ネットワークを介して情報の送受信を行う情報通信装置とそのプログラムに係り、特に、確実に目的とするアドレス先へ情報を送信する情報通信装置に関するものである。
【背景技術】
【０００２】
近年、メールなどによって本物そっくりに作られた偽のＷｅｂサイトにユーザを誘導し、銀行の口座番号やパスワードなどを入力させることがある。現在のところ、多くはパーソナルコンピュータにおける使用時であるが、例えば特許文献１に示すように、携帯電話機を使ってインターネット上で決済を行うシステムなどが盛んに研究されている。
【特許文献１】特開２００４−６２７７１号公報
【発明の開示】
【発明が解決しようとする課題】
【０００３】
携帯電話機は、パーソナルコンピュータなどに比べて画面が小さく情報量が乏しいため、画面に表示しているＷｅｂサイトが正規のものであるかを容易に確認できないものが多い。
【０００４】
図７は、携帯電話機におけるインターネットのＵＲＬ（uniform resource locater）アドレスの表示例を示す図である。
図７（Ａ）に示す表示例では、Ｗｅｂページと別の専用の画面にＵＲＬアドレスが表示される。この専用画面を表示させるためには、幾つかのキー操作を行う必要があり、ＵＲＬアドレスの確認が面倒である。
図７（Ｂ）に示す表示例では、Ｗｅｂページの先頭にＵＲＬアドレスが表示されている。この場合は、ＵＲＬアドレスの表示部分までページをスクロールさせる必要があるため、特にＷｅｂページが長い場合はＵＲＬアドレスの確認が非常に面倒である。
図７（Ｃ）に示す表示例では、ＵＲＬアドレスの一部だけが常に表示されているが、詳細なアドレスが省略されている。ＵＲＬアドレスの全体を表示させるためには、幾つかのキー操作を行う必要があり、正確なＵＲＬアドレスの確認が面倒である。
【０００５】
このように、携帯電話機では小さい画面に情報を詰め込む必要があるため、パーソナルコンピュータなどの比較的大きな画面を備えた機器に比べて、ＵＲＬアドレスの確認が面倒である。そのため、ＵＲＬアドレスの確認が疎かになる可能性がある。
【０００６】
また、仮にユーザが目視でＵＲＬアドレスの確認を行っても、文字列が非常に長い場合や表示される文字が小さい場合には誤認を生じる可能性がある。
このように、ユーザが画面上でＵＲＬアドレスを確認する方法では、ユーザがＵＲＬアドレスの確認を怠ったり見間違ったりする可能性があるため、本物そっくりにＷｅｂサイトが偽装されている場合、何の疑いも持たずに重要な情報を送信してしまう可能性がある。
【０００７】
本発明はかかる事情に鑑みてなされたものであり、その目的は、確実に目的とするサイト（アドレス）へ情報を送信する情報通信装置とそのプログラムを提供することにある。
【課題を解決するための手段】
【０００８】
上記の目的を達成するため、本発明の第１の観点に係る情報通信装置は、ネットワークを介して情報を送受信する通信手段と、前記ネットワーク上のアドレスと、当該アドレスに宛てて送信される情報とが関連付けられたリストを記憶する記憶手段と、前記通信手段から送信する情報を入力可能な入力手段と、前記通信手段からの情報送信に関する警告を発する警告手段と、前記入力手段から入力した情報を前記通信手段から送信する前に、当該入力情報が前記リストに含まれる情報と一致し、かつ、前記リストにおいて当該一致した情報に関連付けられたアドレスが当該入力情報の送信先のアドレスと異なるか判定し、当該判定結果に応じて前記警告手段から警告を発する制御手段とを具備する。
【０００９】
前記制御手段は、前記入力手段からの入力情報が前記リストに含まれる情報と一致し、かつ、前記リストにおいて当該一致した情報に関連付けられたアドレスが当該入力情報の送信先のアドレスと異なる場合、以後の当該送信先アドレスへの情報送信を禁止しても良い。
【００１０】
前記制御手段は、前記警告手段から警告を発した場合、前記入力手段から入力される指示に応じて、前記通信手段からの情報送信を禁止または許可しても良い。
【００１１】
前記制御手段は、前記入力手段からの入力情報が前記リストに含まれる情報と一致し、かつ、前記リストにおいて当該一致した情報に関連付けられたアドレスが当該入力情報の送信先のアドレスと異なる場合、当該２つのアドレスの相違点を前記警告手段において表示しても良い。
【００１２】
前記制御手段は、前記入力手段から入力した情報が前記リストに含まれる情報と一致しない場合、当該入力情報とその送信先のアドレスを前記リストに登録しても良い。
【００１３】
前記制御手段は、前記入力手段に入力された情報が所定の機密情報であるかを判定し、当該入力情報が所定の機密情報である場合、前記リストにおいて送信先のアドレスと一致するアドレスに関連付けられた情報が、当該入力情報と一致するかを判定し、当該判定において不一致と判定した回数が所定数に達した場合には、当該通信相手への情報の送信を禁止しても良い。
【００１４】
本発明の第２の観点に係るプログラムは、ネットワークを介して情報を送受信する通信手段と、前記通信手段から送信する情報を入力可能な入力手段と、記憶手段とを具備した情報通信装置において実行されるプログラムであって、前記ネットワーク上のアドレスと、当該アドレスに宛てて送信される情報とが関連付けられたリストを前記記憶手段に格納する第１の手順と、前記入力手段から入力した情報を前記通信手段から送信する前に、当該入力情報が前記リストに含まれる情報と一致し、かつ、前記リストにおいて当該一致した情報に関連付けられたアドレスが当該入力情報の送信先のアドレスと異なるか判定する第２の手順と、前記第２の手順の判定結果に応じて、前記情報通信装置に設けられた警告手段から警告を発する第３の手順とを有する。
【発明の効果】
【００１５】
本発明によれば、予めリストに登録されたアドレスと異なるアドレスに情報を送信しようとした場合に警告を発することによって、確実に目的のサイト（アドレス）へ情報を送信することができる。
【発明を実施するための最良の形態】
【００１６】
図１は、本発明の実施形態に係る情報通信装置の構成の一例を示す図である。  図１に示す情報通信装置は、通信部１０１と、キー入力部１０２と、音声処理部１０３と、スピーカ１０４と、表示部１０５と、記憶部１０６と、制御部１１０とを有する。
【００１７】
通信部１０１は、ネットワークを介して情報を送受信するためのユニットであり、例えば携帯電話機の通信網にアクセスする無線通信機や、モデム、無線ＬＡＮ等のネットワークカードによって構成される。以下の説明では、一例として、インターネットを介した情報通信を行うものとする。
【００１８】
キー入力部１０２は、例えば数字キー、文字キー、矢印キー、決定キーなど、各種の機能を持ったキーを有しており、これらのキーがユーザによって操作された場合に、その操作内容に対応する信号を発生し、これを入力情報として制御部１１０に入力する。
【００１９】
音声処理部１０３は、スピーカ１０４において出力される音声信号の処理を行う。すなわち、制御部１１０から供給される音声データに復号化、デジタル−アナログ変換、増幅等の信号処理を施し、アナログの音声信号に変換してスピーカ１０４に出力する。
スピーカ１０４は、音声処理部１０３から供給される音声信号を音響に変換して出力する。
【００２０】
表示部１０５は、例えば液晶表示パネルや有機ＥＬパネルなどの表示デバイスを用いて構成されており、制御部１１０から供給される画像データに応じた画像を表示する。例えば、通信部１０１を介して受信されたＷｅｂページの画面を再生して表示する。また、制御部１１０の制御に従って、インターネットへの情報送信に係わる警告画面などを表示する。
【００２１】
図２は、表示部１０５において表示されるＷｅｂページ１０の一例を示す図である。図２は、インターネットにおける銀行取引（インターネット・バンキング）を行うためのＷｅｂページの例を示している。
Ｗｅｂページ１０の最上部には、このＷｅｂページのＵＲＬアドレスの表示領域１が設けられている。
Ｗｅｂページ１０の中央付近には、銀行の口座番号の入力欄２と、インターネット・バンキングを開始するためのパスワードの入力欄３が設けられている。入力欄２及び３の下側には、ログイン用のボタン４が設けられている。これらの入力欄２，３に所定の情報を入力した状態でボタン４を押すと、後述する処理（図５、図６）によって入力情報の送信が許可された場合に、インターネット・バンキングの専用のＷｅｂページへ遷移可能となる。
【００２２】
記憶部１０６は、制御部１１０の処理で利用される各種のデータや、制御部１１０の処理結果のデータを記憶する。例えば、制御部１１０のコンピュータ・プログラムのコード１０８や、その処理に用いる定数データ、処理過程で一時的に記憶する変数データなどを記憶する。
【００２３】
また、記憶部１０６は、インターネットのサイトのＵＲＬアドレスと、このＵＲＬアドレスに宛てて送信される情報とを対応づけたアクセスリスト１０７を記憶する。
【００２４】
図３は、アクセスリスト１０７の構成の一例を示す図である。
アクセスリスト１０７には、例えば図３に示すように、かつて通信部１０１においてアクセスされたＷｅｂページ（サイト）のＵＲＬアドレスと、そのＷｅｂページにおいてキー入力部１０２から入力されて通信部１０１から送信された最大ｎ個までの情報が登録される。
【００２５】
記憶部１０６は、例えばＳＲＡＭやＤＲＡＭなどのＲＡＭ、フラッシュメモリなどの不揮発性メモリ、ＲＯＭ、ハードディスク、光磁気ディスクなど、種々の記憶素子を用いて構成可能である。
【００２６】
制御部１１０は、例えば、記憶部１０６に格納されたプログラム１０８（オペレーティングシステム、アプリケーション等）に基づいて処理を実行し、装置の全体的な動作を統括的に制御する。
すなわち制御部１１０は、所定のプロトコルに基づく通信部１０１の通信動作、表示部１０５における画像の表示、音声処理部１０３における音声信号の生成が、キー入力部１０２に入力されるユーザの指示に従って適切な手順で実行されるように、これらのユニットを制御する。
【００２７】
また、制御部１１０は、キー入力部１０２から入力した情報を通信部１０２から送信する前に、この入力情報がアクセスリスト１０７に含まれる情報と一致するか判定する。一致する場合には、アクセスリスト１０７においてこの入力情報と一致する情報に関連付けられているアドレスが、入力情報の送信先のアドレスと異なるか更に判定を行う。この判定の結果、アクセスリスト１０７に登録されているアドレスと入力情報の送信先のアドレスとが異なっている場合、間違ったＷｅｂサイトへ情報を送信しようとしている可能性があるため、制御部１１０は表示部１０５に警告画面を表示して、ユーザに警告を発する。
【００２８】
例えば、制御１１０は、キー入力部１０２から入力された情報がアクセスリスト１０７に含まれる情報と一致し、かつ、アクセスリスト１０７においてこの入力情報と一致した情報に関連付けられているアドレスが入力情報の送信先のアドレスと異なる場合、この２つのアドレスの相違点を後述する警告画面として表示する。
また、制御部１１０は、表示部１０５に警告画面を表示した場合、キー入力部１０２から入力されるユーザの指示に応じて、通信部１０１からの情報送信を禁止または許可する。
【００２９】
図４は、表示部１０５において表示される警告画面の一例を示す図である。
図４の例では、キー入力部１０６において今回入力した情報の送信先のＵＲＬアドレスと、この入力情報と同じ情報を前回送信したときのＵＲＬアドレスが上下に並んで表示されている。後者のＵＲＬアドレスは、アクセスリスト１０７に登録されているものであり、アクセスリスト１０７において今回の入力情報と同じ情報に関連付けられている。
【００３０】
この２つのＵＲＬアドレスにおいて相違する部分には、例えば図４に示すようにアンダーラインが引かれており、ユーザが一目で相違点を把握できるように表示されている。
【００３１】
図４の例に示す警告画面の下部には、入力情報の送信の続行若しくは終了を選択するためのボタン５，６が設けられている。「継続」の文字が付されたボタン５が押された場合、制御部１１０は入力情報の送信を許可し、通信部１０１から該当するＵＲＬアドレスへ情報を送信する。他方、「終了」の文字が付されたボタン６が押された場合、制御部１１０は入力情報の送信を禁止し、通信部１０１からの情報の送信を実行しない。
【００３２】
また、制御部１１０は、キー入力部１０２から入力した情報がアクセスリスト１０７に含まれる情報と一致しない場合、この入力情報とその送信先のアドレスをアクセスリスト１０７に登録する。これにより、通信部１０２からネットワークへ情報を送信するたびに、その履歴がアクセスリスト１０７に記録される。
【００３３】
更に制御部１１０は、通信相手の要求に応じてキー入力部１０２に入力された情報が所定の機密情報（パスワードなど）であるかを、この通信相手の要求に基づいて判定する。
例えばＷｅｂページのハイパーテキストは、図４に示す入力欄５，６のように、Ｗｅｂページの閲覧者がＷｅｂサイトへ情報を送信するための入力フォームを構成することができる。この入力フォームは、ハイパーテキスト中の入力タグと称される記述要素によって実現される。入力タグには属性が与えられており、この属性に基づいて、Ｗｅｂサイトが閲覧者に入力を求めている情報がどのような種類のものか判定できる。例えば入力タグがパスワード属性を有している場合、Ｗｅｂサイトが入力を求めている情報がパスワードであると判定できる。制御部１１０は、例えばこの入力タグの属性に基づいて、入力情報が所定の機密情報であるか判定する。
入力情報が機密情報であると判定した場合、制御部１１０は、アクセスリスト１０７の中から入力情報の送信先のアドレスと一致するアドレスを検索する。一致するアドレスが見つかったら、次に制御部１１０は、このアドレスに関連付けられている情報が入力情報と一致するか判定する。判定の結果不一致であった場合、ユーザは間違った情報を入力している可能性があるため、制御部１１０は、ユーザに情報の再入力を促す。再入力にも係わらず不一致の判定が繰り返されて、その回数が所定数に達した場合、制御部１１０は、この送信先アドレスへの情報送信を禁止する。これにより、アクセスリスト１０７に登録された機密情報が誤って送信されることを防止する。
【００３４】
ここで、上述した構成を有する図１に示す情報通信装置における情報送信時の動作について、図５および図６のフローチャートを参照して説明する。
【００３５】
まず、制御部１１０は、キー入力部１０２においてＵＲＬアドレスが入力されたり、電子メール等に含まれるＵＲＬアドレスが選択されると、このＵＲＬアドレスにより指定されたＷｅｂサイトにアクセスする処理を行う（ステップＳＴ１０１）。
【００３６】
ＵＲＬアドレスにより示されるＷｅｂサイトが実在する場合、そのＷｅｂサーバのサーバが応答して、Ｗｅｂページのハイパーテキストが通信装置に送信される。情報通信装置の制御部１１０は、送信されたハイパーテキストに基づいてＷｅｂページの画面を構成し、表示部１０５に表示する（ＳＴ１０２）。
【００３７】
制御部１１０は、表示したＷｅｂページの中に、情報の入力を求める入力フォームが含まれているか判定する。例えば、Ｗｅｂページのハイパーテキスト中に入力タグとボタンがそれぞれ１つ以上存在する場合、Ｗｅｂページ上において入力フォームが構成されていると判定する（ステップＳＴ１０３）。
【００３８】
Ｗｅｂページに入力フォームが構成されていると判定した場合、制御部１１０は、そのＷｅｂページを表示している間、入力フォームに情報が入力されてボタンが押されたかを監視する（ステップＳＴ１０４）。ボタンが押されると、制御部１１０は、入力された情報を送信する前に、その情報がアクセスリスト１０７に登録されているか判定する（ステップＳＴ１０５）。アクセスリスト１０７に登録されていない新しい情報が入力された場合、制御部１１０は、後述するステップＳＴ１０６（図６）に処理を移行する。
【００３９】
入力情報がアクセスリスト１０７に登録されている場合、制御部１１０は、入力情報が送信されるアドレス（現在表示中のＷｅｂページのＵＲＬアドレス）と、アクセスリスト１０７において入力情報と一致する情報に関連付けられているＵＲＬアドレスとが一致しているか判定する（ステップＳＴ１０８）。
【００４０】
比較した２つのアドレスが一致する場合は、入力情報の送信を許可し、ボタンが押された後の処理を続行する（ステップＳＴ１０７）。他方、両者が一致しない場合、制御部１１０は、例えば図４に示すような警告画面を表示部１０５に表示し、入力情報の送信処理を続行するか中止するかをユーザに問い合わせる（ステップＳＴ１０９）。
この警告画面を見たユーザが送信処理の続行を指示するボタン（図４の例ではボタン５）を押した場合、制御部１１０は入力情報の送信を許可し、ボタンが押された後の処理を続行する（ステップＳＴ１０７）。ユーザが送信処理の中止を指示するボタン（図４の例ではボタン６）を押した場合、制御部１１０は入力情報の送信を禁止する。
【００４１】
ステップＳＴ１０５において入力情報がアクセスリスト１０７に登録されていないと判定した場合、制御部１１０は、この入力情報がパスワードであるか判定する（ステップＳＴ２０１）。例えば、Ｗｅｂページ上において入力フォームを構成する入力タグの属性が、所定のパスワード属性であるか判定する。パスワードでない場合、制御部１１０は、入力情報とその送信先のＵＲＬアドレスをアクセスリスト１０７に登録する（ステップＳＴ２０３）。
【００４２】
入力情報がパスワードである場合、制御部１１０は、その入力情報の送信先アドレスがアクセスリスト１０７に登録されているか判定する（ステップＳＴ２０２）。リストに登録されていない場合、制御部１１０は、入力情報とその送信先のＵＲＬアドレスをアクセスリスト１０７に登録する（ステップＳＴ２０３）。
【００４３】
入力情報がパスワードであり、かつ、その入力情報の送信先アドレスがアクセスリスト１０７に登録されている場合、制御部１１０は、そのアクセスリスト１０７に登録されているアドレスと関連付けられた情報が、入力情報と一致しているか判定する（ステップＳＴ２０４）。両者が一致している場合、制御部１１０は、次に述べるループ処理（ＳＴ２０４〜ＳＴ２０６）を抜けてステップＳＴ１０７に処理を移行する。
【００４４】
ステップＳＴ２０４〜ＳＴ２０６のループ処理では、表示中のＷｅｂページのＵＲＬアドレスに対して前に送信された情報（アクセスリスト１０７に登録中）と等しい情報が入力されるまで、キー入力部１０２からの情報の入力を繰り返す処理が行われる。
すなわち、ステップＳＴ２０４の判定において２つの情報が一致していないと判定した場合、制御部１１０は、情報の再入力回数が所定回数に達しているか判定し（ステップＳＴ２０５）、所定回数に達していなければ、キー入力部ＳＴ２０４から再び情報を入力する（ステップＳＴ２０６）。例えば、情報の再入力を促すメッセージを表示部１０５に表示して、キー入力部ＳＴ２０４からの情報入力を待つ。情報が入力されたら、再びステップＳＴ２０４に戻り、上述の処理を繰り返す。
【００４５】
ステップＳＴ２０７において情報の再入力回数が所定回数に達したと判定した場合、制御部１１０は表示中のＷｅｂページのＵＲＬアドレスに対する情報の送信を禁止する（ステップＳＴ２０７）。
例えば制御部１１０は、情報送信の禁止を示すフラグデータ（送信禁止フラグ）を、アクセスリスト１０７の該当するアドレスに関連付けて登録する。ステップＳＴ１０４において入力情報の送信イベントが検出された場合、制御部１１０は、その送信先のアドレスがアクセスリスト１０７において送信禁止フラグを付されているか確認し、このフラグが付されている場合には情報の送信を中止する。
【００４６】
以上説明したように、本実施形態によれば、キー入力部１０２から入力した情報を通信部１０１から送信する前に、この入力情報の送信を許可するか否かがアクセスリスト１０７の登録内容に基づいて判定される。この入力情報がアクセスリスト１０７に含まれる情報と一致し、かつ、アクセスリスト１０７においてこの入力情報と一致した情報に関連付けられているＵＲＬアドレスが入力情報の送信先のアドレスと異なる場合、表示部１０５に警告画面が表示される。
これにより、間違ったＷｅｂサイトへの情報送信が行われようとしているときに、そのＵＲＬアドレスがアクセスリスト１０７の登録内容と異なるアドレスであることをユーザに対して前もって警告できるため、そのような情報送信を未然に防止することができる。したがって、ユーザがＵＲＬアドレスを目視で確認する方法に比べて、より確実に正規のＷｅｂサイトへ情報を送信することができる。
また、ＵＲＬアドレスを目視で確認する手間がなくなるため、ユーザの利便性を向上することができる。
【００４７】
更に本実施形態によれば、キー入力部１０２から入力された情報がアクセスリスト１０７に含まれる情報と一致しない場合に、この入力情報とその送信先のアドレスがアクセスリスト１０７に登録される。これにより、過去に行われた送信の履歴に基づいて間違ったＷｅｂサイトへの情報送信が行われようとしているか判定できるため、より確実に正規のサイトへ情報を送信できる。
【００４８】
しかも、本実施形態によれば、入力された情報がパスワードなどの所定の機密情報であり、かつ、アクセスリスト１０７に正規の情報が登録されている場合に、入力情報と正規の情報が比較され、両者が一致しない場合には情報の再入力が行われる。そして、再入力回数が所定数に達した場合、この情報を送信しようとしていたＵＲＬアドレスに対する以後の情報送信が禁止される。
本実施形態では、情報送信を行う前に、その情報がアクセスリスト１０７の登録内容と一致しているか確認して警告を発するため、何度も情報の入力を繰り返して警告の有無を調べれば、アクセスリスト１０７にどのような情報が登録されているかを推定される可能性がある。そこで、上記のように再入力回数を制限することによって、アクセスリスト１０７に登録されるパスワードなどの機密情報が推定されることを有効に防止することができる。
【００４９】
以上、本発明の一実施形態について説明したが、本発明は上記の形態にのみ限定されるものではなく、種々のバリエーションを含んでいる。
【００５０】
上述の実施形態では、表示部１０５に警告画面を表示することによってユーザの注意を喚起しているが、本発明はこれに限定されない。例えば、より安全性を高めるため、警告したアドレスへの以後の情報送信を禁止しても良い。すなわち、制御部１１０は、キー入力部１０２からの入力情報がアクセスリスト１０７に含まれる情報と一致し、かつ、アクセスリスト１０７においてこの一致した情報に関連付けられたアドレスが入力情報の送信先のアドレスと異なっている場合、以後、この送信先アドレスへの情報送信を禁止しても良い。これにより、誤ったサイトに重要な情報が送信される可能性をさらに低くすることができる。
【００５１】
上述の実施形態では、表示部１０５に警告画面を表示することによってユーザの注意を喚起しているが、これに限らず、例えばスピーカ１０４から警告音を発したり、圧電素子などによって構成された振動部（不図示）で振動を発生するなど、他の種々の方法でユーザに警告を発しても良い。
【００５２】
本実施形態に係る情報通信装置のプログラムは、図１に示すように装置内の記憶部に書き込まれたものを実行しても良いし、光磁気ディスク等の記録媒体に書き込まれたものをその読み取り装置によって読み取って実行しても良い。あるいは、通信部１０１を介して接続されるネットワーク上の不図示のサーバ装置からダウンロードして実行しても良い。
【図面の簡単な説明】
【００５３】
【図１】本発明の実施形態に係る情報通信装置の構成の一例を示す図である。
【図２】表示部において表示されるＷｅｂページの画面の一例を示す図である。
【図３】アクセスリストの構成の一例を示す図である。
【図４】表示部において表示される警告画面の一例を示す図である。
【図５】本実施形態に係る情報通信装置における情報送信時の動作の一例を示す第１のフローチャートである。
【図６】本実施形態に係る情報通信装置における情報送信時の動作の一例を示す第２のフローチャートである。
【図７】携帯電話機におけるインターネットのＵＲＬアドレスの表示例を示す図である。
【符号の説明】
【００５４】
１０１…通信部、１０２…キー入力部、１０３…音声処理部、１０４…スピーカ、１０５…表示部、１０６…記憶部、１０７…アクセスリスト、１０８…プログラム
【図１】
2007094878.tif 000003
【図２】
2007094878.tif 000004
【図３】
2007094878.tif 000005
【図４】
2007094878.tif 000006
【図５】
2007094878.tif 000007
【図６】
2007094878.tif 000008
【図７】
2007094878.tif 000009